(57)【要約】【課題】印字機能を付加することによる装置の大型化がなく、インク漏れへの対応が不要で、かつ、紙面上への簡易な文字印刷を可能とする携帯通信端末等を提供する。【解決手段】移動体通信端末１００は、振動器１４０及びドット印字部１２０を備える。また、ドット印字部１２０は、内部にロット部１５０を複数配置する。振動器１４０は、情報表示画面１１０により表示された情報の文字情報を保存情報部１３０から取得し、文字情報に対応する印字指令をドット印字部１２０に対して行う。ドット印字部１２０は、印字指令で指定された文字情報に対応する動作パターンを取得し、該動作パターンに基づいてロット部１５０を動作させる。そして、ロット部１５０が行う上下動作により、ドットインパクト用紙２００の着色物を印字対象紙３００へ転写して印字を行う。【選択図】図２
2007329652.tif 000002
【特許請求の範囲】
【請求項１】
通信機能を用いて取得した情報を一旦保存し、他の端末装置への転送、画面上への表示、又は記録媒体への印字を行うために前記情報を管理する保存管理手段と、
前記保存管理手段により管理された情報を画面上に表示する表示手段と、
前記保存管理手段により管理された情報を記録媒体へ印字するための印字指令を行う振動手段と、
インクリボン紙の着色物を前記記録媒体へ転写させるロット部を備え、前記振動手段による印字指令に基づいて前記ロット部を動作させて記録媒体への印字を行う印字手段とを有することを特徴とする携帯通信端末。
【請求項２】
前記振動手段は、前記表示手段により表示された情報を前記保存管理手段から取得し、取得した前記情報を記録媒体へ印字するための印字指令を行うことを特徴とする請求項１に記載の携帯通信端末。
【請求項３】
前記ロット部は、前記印字手段内に長手方向一列に複数配置されており、記録媒体の載置面に対して垂直に上下運動を行うことを特徴とする請求項１又は２に記載の携帯通信端末。
【請求項４】
前記振動手段は、前記保存管理手段により管理された情報のうち文字に関する情報である文字情報を取得し、前記文字情報に基づいて印字指令を行い、
前記印字手段は、文字ごとの動作パターンをあらかじめ保持しており、前記振動手段による印字指令で指定された文字情報に対応する動作パターンを取得し、前記動作パターンに基づいて前記ロット部を動作させることを特徴とする請求項１から３のいずれか１項に記載の携帯通信端末。
【請求項５】
前記印字手段は、前記動作パターンについて複数の前記ロット部を単位として保持しており、前記動作パターンに基づいて複数の前記ロット部を同時に動作させることを特徴とする請求項４に記載の携帯通信端末。
【請求項６】
片面に着色物の付着したインクリボン紙を用いてドットインパクト方式により記録媒体への印字を行う携帯通信端末による印刷方法であって、
通信機能を用いて取得した情報を一旦保存し、他の端末装置への転送、画面上への表示、又は記録媒体への印字を行うために前記情報を管理する保存管理工程と、
前記保存管理工程により管理された情報を記録媒体へ印字するための印字指令を行う振動工程と、
前記振動工程による印字指令に基づいて、インクリボン紙の着色物を前記記録媒体へ転写させるロット部を動作させ、記録媒体への印字を行う印字工程とを有することを特徴とする携帯通信端末による印刷方法。
【請求項７】
前記振動工程は、前記保存管理工程により管理された情報のうち文字に関する情報である文字情報を取得し、前記文字情報に基づいて印字指令を行い、
前記印字工程は、文字ごとの動作パターンをあらかじめ保持しており、前記振動工程による印字指令で指定された文字情報に対応する動作パターンを取得し、前記動作パターンに基づいて前記ロット部を動作させることを特徴とする請求項６に記載の携帯通信端末による印刷方法。
【請求項８】
前記印字工程は、前記動作パターンについて複数の前記ロット部を単位として保持しており、前記動作パターンに基づいて複数の前記ロット部を同時に動作させることを特徴とする請求項７に記載の携帯通信端末による印刷方法。
【発明の詳細な説明】
【技術分野】
【０００１】
本発明は、携帯通信端末及び携帯通信端末による印刷方法に関し、特に、携帯通信端末にドットインパクトプリンタ方式の印字手段を備えさせて、簡易的に文字情報を印刷する技術に関するものである。
【背景技術】
【０００２】
現在、携帯電話に代表される移動体通信端末においては、音声通信装置としての通話機能と情報通信装置としての情報表示機能の２つが主要な機能といえる。また、移動体通信端末で取得した情報は、同端末上の画面に表示させることによって、情報の認識と共有ができることになっている。
【０００３】
そして、取得した情報を保有するための方法としては、移動体通信端末内でデータを保存させておき、必要なときに画面上に表示させる方法がまず考えられる。また、別の方法として、他の端末装置に情報を転送して転送先端末の画面上に表示させる方法、あるいは外部の印刷装置にて紙出力させる方法が考えられる。
【０００４】
取得情報のやり取りに際し、移動体通信端末を持ち合わせているときには、該端末内にデータを保存でき画面表示が可能なので何の問題もない。しかし、移動体通信端末を持っていない者に対して該端末で取得した情報を渡すような場合には、上記の方法を用いて外部の印刷装置で紙出力するか、若しくは手書きにて情報を書き留める必要があり、情報を紙ベースに落とし込むという点で手間がかかることになる。
【０００５】
しかも、手書きで情報を書き留める場合には、間違った内容をメモする可能性は十分にあり、誤った情報伝達となる要素を多分に含んでおり、情報に不確実さが伴ってしまう傾向がある。
【０００６】
もっとも、印刷装置の設置されている環境であれば、そこで紙出力して紙ベースで情報を得ることができるが、印刷装置のない環境で情報のやり取りを行う場合も当然ありうる。このため、どのような環境でも紙ベースの情報を取得するためには、移動体通信端末に印刷機能を備えさせることが有効である。
【０００７】
仮に、移動体通信端末に印刷機能を持たせたときには、一般的には装置の大型化が考えられるため、移動体通信端末の利便性である携帯性が著しく低下することとなる。さらに、インクを付帯するような場合には、移動時の衝撃等の障害によりインク漏れが発生することも想定される。
【０００８】
例えば、特許文献１では、ポケットベルにおけるメッセージ伝達の正確性向上を目的として、携帯性を損なうことのない印字部を設けたポケットベル等の携帯型通信装置が提案されている。
【特許文献１】特開平７−２２２２２３号公報
【発明の開示】
【発明が解決しようとする課題】
【０００９】
特許文献１では、携帯型通信装置を手で持って紙面に沿って移動させることで印字を行い、印字を行う印字部は、外方に向けて印字面を露出できる印字手段として、熱転写方式のものが開示されている。
【００１０】
本発明は、印字機能を付加することによる装置の大型化がなく、インク漏れへの対応が不要で、かつ、紙面上への簡易な文字印刷を可能とする携帯通信端末等を提供することを目的とする。
【課題を解決するための手段】
【００１１】
かかる目的を達成するために、本発明は、携帯通信端末において、通信機能を用いて取得した情報を一旦保存し、他の端末装置への転送、画面上への表示、又は記録媒体への印字を行うために前記情報を管理する保存管理手段と、前記保存管理手段により管理された情報を画面上に表示する表示手段と、前記保存管理手段により管理された情報を記録媒体へ印字するための印字指令を行う振動手段と、インクリボン紙の着色物を前記記録媒体へ転写させるロット部を備え、前記振動手段による印字指令に基づいて前記ロット部を動作させて記録媒体への印字を行う印字手段とを有することを特徴とする。
【００１２】
本発明は、印字機能を有する携帯通信端末に関する発明であり、該携帯通信端末は、保存管理手段、表示手段、振動手段、及び印字手段を有する。保存管理手段は、ユーザが必要に応じてメールやデータサーバから入手した情報を一旦保存して管理する。
【００１３】
そして、本携帯通信端末は、保存管理手段が保持するデジタル化された情報を出力するための方法として、画面上へ表示する方法と、記録紙へ印刷する方法とを用いることができる。前者は表示手段により行い、後者は振動手段及び印字手段により行う。印字手段は、インク等の着色物の記録媒体への転写を行うロット部を有する。
【００１４】
すなわち、表示手段は、保存管理手段により保存された情報の文字情報を取得して画面表示を行う。また、振動手段は、表示手段により表示された情報の文字情報を保存管理手段から取得し、文字情報に対応する印字指令を印字手段に対して行い、印字手段は、該印字指令で指定された文字情報に対応する動作パターンを取得して、該動作パターンに基づいてロット部を動作させる。そして、ロット部が行う動作により、インクリボン紙の着色物を記録媒体へ転写し、記録媒体への印字を行う。
【００１５】
上記のように構成することによって、携帯通信端末において、印字機能付加によるサイズ大型化はなく、インクを搭載しないためインク漏れへの対応が不要となり、簡単に記録紙へ文字印刷することが可能となる。
【００１６】
また、本発明は、片面に着色物の付着したインクリボン紙を用いてドットインパクト方式により記録媒体への印字を行う携帯通信端末による印刷方法であって、通信機能を用いて取得した情報を一旦保存し、他の端末装置への転送、画面上への表示、又は記録媒体への印字を行うために前記情報を管理する保存管理工程と、前記保存管理工程により管理された情報を記録媒体へ印字するための印字指令を行う振動工程と、前記振動工程による印字指令に基づいて、インクリボン紙の着色物を前記記録媒体へ転写させるロット部を動作させ、記録媒体への印字を行う印字工程とを有することを特徴とする携帯通信端末による印刷方法であってもよい。
【発明の効果】
【００１７】
本発明によれば、印字機能を付加しても装置が大型化することなく、インク漏れへの対応が不要で、かつ、紙面上への簡易な文字印刷が可能となる携帯通信端末等が実現される。
【発明を実施するための最良の形態】
【００１８】
図面を参照しながら、本発明の実施形態における移動体通信端末を用いた文字印刷方式について説明する。
【００１９】
図１は、本実施形態の移動体通信端末による文字印刷方式の全体構成を示した図である。当該文字印刷方式の構成要素は、移動体通信端末１００、ドットインパクト用紙２００、及び印字対象紙３００である。
【００２０】
移動体通信端末１００において情報を取得した場合、該情報の確認方法としては、情報表示画面１１０に表示させる方法が採られている。また、該情報を移動させる方法としては、移動体通信端末から他の通信端末へ情報を転送させる方法、あるいは表示情報を手書きして移動させる方法が採られている。
【００２１】
そして、移動体通信端末１００は、情報表示画面１１０に表示された情報を紙面に印字する手段として、ドット印字部１２０を具備する。
【００２２】
ドットインパクト用紙２００は、片面に着色物が付着した転写用の用紙で、ドットインパクトプリント方式において用いられるものである。具体的には、ドットインパクト用紙２００の表面に衝撃を与えることにより、衝撃を与えられた部分のみに裏面の着色物が印字対象紙３００に転写して、印字対象紙３００へ印字させることができる。
【００２３】
図２は、本実施形態における移動体通信端末の内部構成を示した図である。移動体通信端末１００は、情報表示画面１１０、保存情報部１３０、振動器１４０、ドット印字部１２０、及びロット部１５０を有する。
【００２４】
情報表示画面１１０は、取得した情報の内容を確認するための表示画面である。保存情報部１３０は、他の移動体通信端末あるいは端末装置との通信により得た情報を蓄積し保存する。本実施形態では、移動体通信端末１００は印字機能を有するが、該印字機能はドット印字部１２０及び振動器１４０により、ドットインパクトプリント方式で実現される。
【００２５】
振動器１４０は、保存情報部１３０から取得した文字情報に基づいて、ドット印字部１２０に印字指令を出す。ドット印字部１２０は、内部にロット部１５０を有し、振動器１４０の印字指令の従ってロット部１５０を動作させる。ロット部１５０は、ドットインパクト用紙２００及び印字対象紙３００の紙面に対して、上下運動することで衝撃を与える。
【００２６】
本実施形態の移動体通信端末による文字印刷の動作について説明する。
【００２７】
まず、通信により得た情報を保存情報部１３０で一旦蓄積し保有する。そして、該保有情報を表示する場合には、情報表示画面１１０は、表示しようとする情報の文字情報を保存情報部１３０から取得し、画面表示を行う。
【００２８】
一方、情報表示画面１１０に表示された情報について印刷する場合には、振動器１４０は、表示された情報に関する文字情報を保存情報部１３０から取得する。そして、文字情報を取得した振動器１４０は、ドット印字部１２０に対して、文字情報に対応する印字指令を行う。
【００２９】
ドット印字部１２０では、複数のロット部１５０がドット印字部１２０の長手方向に沿って一列に配置されている。例えば、本実施形態では、図１及び図２にあるように、ロット部１５０は、移動体通信端末１００の長い辺と直角する方向に一列に並んでいる。また、ドット印字部１２０は、ロット部１５０を印字対象紙３００の紙面に対して垂直に上下運動させ、各ロット部を独立して動作させることが可能である。
【００３０】
さらに、ドット印字部１２０は、文字ごとに定められたロット部１５０の動作パターンをあらかじめ保持している。このため、ドット印字部１２０は、振動器１４０からの印字指令で指定された文字情報ごとに一意に設定されている動作パターンを読み出して、該動作パターンに従って複数のロット部１５０を同時に動作させることができる。
【００３１】
本実施形態の移動体通信端末を用いてどのように印字するかについて説明する。図３は、印字の際のドット印字部と印字のための用紙（ドットインパクト用紙及び印字対象紙）との位置関係を表した斜視図であり、図４は同位置関係を表した側面図である。
【００３２】
移動体通信端末１００を用いて文字印刷する場合、印字対象紙３００の上にドットインパクト用紙２００を置き、それらの紙面に対してロット部１５０が垂直に立つようにドット印字部１２０を位置させる。
【００３３】
そして、振動器１４０の印字指令によりロット部１５０が動作し始めると同時に、移動体通信端末１００を一定速度で用紙に沿って平行に移動させる。ロット部１５０は、文字情報ごとに設定されている動作パターンで用紙上を上下運動することにより、ドットインパクト用紙２００に衝撃を与えて、裏側の着色物を印字対象紙３００に転写し、これにより印字対象紙３００への印字を行う。
【００３４】
なお、ドット印字部１２０に保持されている動作パターンは、ロット部１５０の配置されている列と直角する方向へ移動体通信端末を移動させたときに、正確な文字が印字対象紙３００上に形成するように設定されている。このため、ロット部１５０の列が移動方向に対して角度を有するようにして、移動体通信端末１００を移動させることにより斜字体の文字を印字することも可能となる。このように、移動体通信端末の移動速度や移動方向により、様々な書体や形式の文字を印字することが可能となる。
【００３５】
上記の実施形態によれば、移動体通信端末に直接印字機能を付帯させることにより、印刷装置に情報を転送させることなく、即座に移動体端末上の情報を紙面上に印字させることが可能になる。
【００３６】
また、上記の実施形態によれば、ドットインパクトプリント方式を採用することにより、移動体通信端末に液状のインク等を搭載さずに済むため、インク漏れが発生することがなくなり、インク漏れへの対応が不要となる。
【００３７】
なお、本発明では、移動体通信端末にドットインパクト印刷方式を用いて簡易的に文字情報を印字させる方法を目的としているが、通信機能はないが、情報を保有させることができる移動機器においても同様の方式によって文字情報を記録紙へ印字させることが可能である。
【００３８】
また、上述する実施形態は、本発明の好適な実施形態であり、上記実施形態のみに本発明の範囲を限定するものではなく、本発明の要旨を逸脱しない範囲において種々の変更を施した形態での実施が可能である。
【図面の簡単な説明】
【００３９】
【図１】本発明の実施形態に係る移動体通信端末による文字印刷方式の全体構成を示した図である。
【図２】本発明の実施形態に係る移動体通信端末の内部構成を示した図である。
【図３】本発明の実施形態における文字印刷の際のドット印字部と印刷用紙との位置関係を表した斜視図である。
【図４】本発明の実施形態における文字印刷の際のドット印字部と印刷用紙との位置関係を表した側面図である。
【符号の説明】
【００４０】
１００    移動体通信端末
１１０    情報表示画面
１２０    ドット印字部
１３０    保存情報部
１４０    振動器
１５０    ロット部
２００    ドットインパクト用紙
３００    印字対象紙
【図１】
2007329652.tif 000003
【図２】
2007329652.tif 000004
【図３】
2007329652.tif 000005
【図４】
2007329652.tif 000006